(57)【要約】【課題】その大きさを拡大させることなく、より多いヒューズを挿着できる電気接続箱を提供する。【解決手段】一側の開放口を通して複数のヒューズＦが挿着される挿着筐体１０と、挿着筐体１０の各ヒューズＦを基板５０に接続させる複数のヒューズ端子１３とを備える、車両用の電気接続箱において、挿着筐体１０の前記一側と反対側から挿着筐体１０に対向し、前記複数のヒューズ端子１３を保持する板状の保持体２０と、前記複数のヒューズ端子１３を覆う平板部３１１を含み、平板部３１１に形成され、内側に保持体２０が配置される切り欠きを有するケース部材３１とを備える。【選択図】図８
2020092577.tif 000002
【特許請求の範囲】
【請求項１】
一側の開放口を通して複数のヒューズが挿着される挿着筐体と、該挿着筐体の各ヒューズを基板に接続させる複数のヒューズ端子とを備える、車両用の電気接続箱において、
前記挿着筐体の前記一側と反対側から前記挿着筐体に対向し、前記複数のヒューズ端子を保持する板状の保持体と、
前記複数のヒューズ端子を覆う覆い部を含み、該覆い部に形成され、内側に前記保持体が配置される第１切り欠きを有するケース部材と
を備える電気接続箱。
【請求項２】
前記覆い部は平板形状であり、
前記保持体の一辺縁部及び前記挿着筐体の側壁部は前記第１切り欠きに係合し、
前記覆い部の外側面と、前記保持体の前記一辺縁部に係る側面と、前記挿着筐体の前記側壁部の外側面とが面一をなしている請求項１に記載の電気接続箱。
【請求項３】
前記開放口は矩形であり、
前記挿着筐体は前記ヒューズが挿入される矩形状の挿入穴を複数有しており、
各挿入穴の長手方向が前記開放口の長手方向と直交し、各挿入穴が前記開放口の長手方向に並ぶ挿入穴列が３列以上形成されている請求項１又は２に記載の電気接続箱。
【請求項４】
前記挿着筐体の前記開放口を覆う蓋部材を備え、
前記蓋部材は一側が開放された直方体箱形状をなし、前記挿着筐体の前記側壁部と係合する第２切り欠きが一壁部に形成されている請求項２に記載の電気接続箱。
【請求項５】
前記挿着筐体の前記側壁部が前記蓋部材の前記第２切り欠きに係合する際、前記蓋部材の前記一壁部における前記第２切り欠きを除く他部の外側面は、前記挿着筐体の前記側壁部の外側面と面一をなす請求項４に記載の電気接続箱。
【発明の詳細な説明】
【技術分野】
【０００１】
本発明は、車両に用いられる電気接続箱に関する。
【背景技術】
【０００２】
従来から、ヒューズを挿着する電気接続箱が車両に搭載されている。
【０００３】
特許文献１には、ヒューズを嵌合させる複数のヒューズ嵌合部と、ヒュージブルリンクを嵌合させる複数のヒュージブルリンク嵌合部と、主ヒュージブルリンクを嵌合させる主ヒュージブルリンク嵌合部とが設けられた箱本体を備える電気接続箱において、ヒューズ嵌合部とヒュージブルリンク嵌合部と主ヒュージブルリンク嵌合部とがこの順序で前記箱本体の一面に順次配列されていることが開示されている。
【先行技術文献】
【特許文献】
【０００４】
【特許文献１】特開平９−２８３００４号公報
【発明の概要】
【発明が解決しようとする課題】
【０００５】
近年、車両に搭載される電子装置が増えたことによって、これらの制御に必要とされるヒューズの数も増えているものの、電気接続箱を装着できる空間は制限されている。従って、電気接続箱の大きさの拡大を抑制しつつ、より多いヒューズを挿着できる方法について工夫する必要がある。
【０００６】
しかしながら、上述した電気接続箱には、１つの箱本体が複数種のヒューズに対応する複数種のヒューズ嵌合部を有する場合について開示されているに過ぎず、上述した問題を解決できない。
【０００７】
本発明は斯かる事情に鑑みてなされたものであり、その目的とするところは、大きさを拡大させることなく、より多いヒューズを挿着できる電気接続箱を提供することにある。
【課題を解決するための手段】
【０００８】
本開示の一態様に係る電気接続箱は、一側の開放口を通して複数のヒューズが挿着される挿着筐体と、該挿着筐体の各ヒューズを基板に接続させる複数のヒューズ端子とを備える、車両用の電気接続箱において、前記挿着筐体の前記一側と反対側から前記挿着筐体に対向し、前記複数のヒューズ端子を保持する板状の保持体と、前記複数のヒューズ端子を覆う覆い部を含み、該覆い部に形成され、内側に前記保持体が配置される第１切り欠きを有するケース部材とを備える。
【発明の効果】
【０００９】
本開示の一態様によれば、大きさを拡大させることなく、より多いヒューズを挿着できる電気接続箱を提供できる。
【図面の簡単な説明】
【００１０】
【図１】本実施形態に係る電気接続箱の外見を示す斜視図である。
【図２】本実施形態に係る電気接続箱において蓋部材を外した状態を示す斜視図である。
【図３】本実施形態に係る電気接続箱において蓋部材を省略した状態を示す平面図である。
【図４】本実施形態に係る電気接続箱において、ケース部材及び蓋部材を省略した状態を示す斜視図である。
【図５】本実施形態に係る電気接続箱のヒューズモジュールの後側を示す斜視図である。
【図６】本実施形態に係る電気接続箱のヒューズモジュールの分解図である。
【図７】本実施形態に係る電気接続箱の上ケース部を示す斜視図である。
【図８】図８は、図３のＶＩＩＩ−ＶＩＩＩ線による縦断面図である。
【発明を実施するための形態】
【００１１】
［本発明の実施形態の説明］
最初に本開示の実施態様を列挙して説明する。また、以下に記載する実施形態の少なくとも一部を任意に組み合わせてもよい。
【００１２】
（１）本開示の一態様に係る電気接続箱は、一側の開放口を通して複数のヒューズが挿着される挿着筐体と、該挿着筐体の各ヒューズを基板に接続させる複数のヒューズ端子とを備える、車両用の電気接続箱において、前記挿着筐体の前記一側と反対側から前記挿着筐体に対向し、前記複数のヒューズ端子を保持する板状の保持体と、前記複数のヒューズ端子を覆う覆い部を含み、該覆い部に形成され、内側に前記保持体が配置される第１切り欠きを有するケース部材とを備える。
【００１３】
本態様にあっては、前記覆い部（ケース部材）に前記第１切り欠きが形成され、該切り欠きの内側に前記保持体が配置されている。例えば、前記第１切り欠きが形成されていない場合は、前記覆い部が前記保持体を覆うように構成する必要があり、その分前記覆い部（ケース部材）の寸法が大きくなる。これに対して、本開示の一態様に係る電気接続箱では、前記覆い部の内側に前記保持体が配置されているので、前記覆い部が前記保持体を覆う構成は不要であり、前記ケース部材の拡大を抑えることができる。
【００１４】
（２）本開示の一態様に係る電気接続箱は、前記覆い部は平板形状であり、前記保持体の一辺縁部及び前記挿着筐体の側壁部は前記第１切り欠きに係合し、前記覆い部の外側面と、前記保持体の前記一辺縁部に係る側面と、前記挿着筐体の前記側壁部の外側面とが面一をなしている。
【００１５】
本態様にあっては、前記覆い部（ケース部材）に前記第１切り欠きが形成され、前記保持体の一辺縁部及び前記挿着筐体の側壁部が前記第１切り欠きに係合し、この際、前記覆い部の外側面と、前記保持体の前記一辺縁部に係る側面と、前記挿着筐体の前記側壁部の外側面とが面一をなす。従って、本開示の一態様に係る電気接続箱では、前記ケース部材を拡大させない範囲内で、前記挿着筐体の大きさを最大限に拡大させることができる。
【００１６】
（３）本開示の一態様に係る電気接続箱は、前記開放口は矩形であり、前記挿着筐体は前記ヒューズが挿入される矩形状の挿入穴を複数有しており、各挿入穴の長手方向が前記開放口の長手方向と直交し、各挿入穴が前記開放口の長手方向に並ぶ挿入穴列が３列以上形成されている。
【００１７】
本態様にあっては、各挿入穴の長手方向が前記開放口の長手方向と直交するようにして、前記挿入穴列が、前記開放口の短手方向に３列以上形成されている。従って、各挿入穴の長手方向が前記開放口の長手方向と平行である場合に比べて、前記挿着筐体に挿着されるヒューズの数を増やすことができる。
【００１８】
（４）本開示の一態様に係る電気接続箱は、前記挿着筐体の前記開放口を覆う蓋部材を備え、前記蓋部材は一側が開放された直方体箱形状をなし、前記挿着筐体の前記側壁部と係合する第２切り欠きが一壁部に形成されている。
【００１９】
本態様にあっては、前記蓋部材の前記一壁部に前記第２切り欠きが形成されており、前記挿着筐体の前記側壁部が前記第２切り欠きに係合する。
一方、前記挿着筐体が前記蓋部材に内嵌される状態にて、前記蓋部材が前記開放口を覆うのであれば、斯かる開放口よりも大きい寸法を有する必要がある。これに対して、本開示の一態様に係る電気接続箱は、前記挿着筐体が前記蓋部材に内嵌されておらず、前記挿着筐体の前記側壁部が前記蓋部材の前記第２切り欠きに係合する状態にて、前記蓋部材が前記開放口を覆う。従って、前記蓋部材の大きさが拡大されることを抑制することができる。
【００２０】
（５）本開示の一態様に係る電気接続箱は、前記挿着筐体の前記側壁部が前記蓋部材の前記第２切り欠きに係合する際、前記蓋部材の前記一壁部における前記第２切り欠きを除く他部の外側面は、前記挿着筐体の前記側壁部の外側面と面一をなす。
【００２１】
本態様にあっては、前記蓋部材の前記一壁部における前記第２切り欠きを除く他部の外側面が、前記挿着筐体の前記側壁部の外側面と面一をなしながら、前記挿着筐体の前記側壁部が前記蓋部材の前記第２切り欠きに係合する。従って、前記蓋部材の大きさが拡大されることを抑制することができる。
【００２２】
[本発明の実施形態の詳細]
本発明をその実施形態を示す図面に基づいて具体的に説明する。本開示の実施形態に係る電気接続箱を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。
【００２３】
図１は、本実施形態に係る電気接続箱１００の外見を示す斜視図である。電気接続箱１００はヒューズが挿着される、所謂ヒューズボックスであり、車両に搭載される。
【００２４】
電気接続箱１００は、電子部品等が実装された基板を収容するケース部材３０と、ヒューズが挿着されるヒューズモジュール１と、ヒューズモジュール１の開放口を覆う蓋部材４０とを備える。
【００２５】
本実施形態では、便宜上、図１に示す前後、左右、上下の各方向により、電気接続箱１００の「前」、「後」、「左」、「右」、「上」、「下」を定義する。以下では、このように定義される前後、左右、上下の各方向を用いて説明する。
【００２６】
ケース部材３０は、上ケース部３１と、下ケース部３２とを有する。上ケース部３１は段差を有し、上下方向において、前側端部の寸法が他の部分より大きい。上ケース部３１は前側端部に扁平な平板部３１１（覆い部）を含み、平板部３１１が後述する複数のヒューズ端子１３を覆う。なお、電気接続箱１００は、左右の側面に、コネクタ端子６０が複数設けられている。
【００２７】
図２は、本実施形態に係る電気接続箱１００において蓋部材４０を外した状態を示す斜視図であり、図３は、本実施形態に係る電気接続箱１００において蓋部材４０を省略した状態を示す平面図であり、図４は、本実施形態に係る電気接続箱１００において、ケース部材３０及び蓋部材４０を省略した状態を示す斜視図である。
【００２８】
ヒューズモジュール１は、ヒューズＦが複数挿着される挿着筐体１０と、挿着筐体１０に挿着されたヒューズＦと前記基板とを接続させる複数のヒューズ端子１３と、ヒューズ端子１３を保持する保持体２０とを有する。
【００２９】
挿着筐体１０は、前側の全面が開放された直方体箱形状をなしている。挿着筐体１０の内側には、ヒューズＦが挿着される矩形状の挿入穴１２がマトリックス状に設けられている。即ち、挿入穴１２は、挿着筐体１０の前側の開放口１１を介して露出されている。
【００３０】
基板５０は挿着筐体１０の下側に配置されている。詳しくは、挿着筐体１０において開放口１１と隣り合う４つの壁部のうち、下側に位置する下側壁部１１１の近傍に基板５０が設けられている。基板５０は、下側壁部１１１の外側面から隔てて、下側壁部１１１と平行に配置されている。挿入穴１２に挿入された各ヒューズＦはヒューズ端子１３によって基板５０と接続される。
【００３１】
開放口１１は矩形状であり、複数の挿入穴１２が開放口１１の長手方向（左右方向）に並んで列Ｒをなしている。例えば、開放口１１の長手方向に並んだ挿入穴１２の列Ｒが、開放口１１の短手方向（上下方向）において３つ形成されている。挿入穴１２の各列Ｒにおいては、各挿入穴１２の長手方向が開放口１１の長手方向と直交し、各挿入穴１２が開放口１１の長手方向に並んでいる。
【００３２】
本実施形態においては、挿入穴１２の列Ｒが３つである場合を例に説明するが、これに限定されるものではなく、３つ以上であっても良い。
このように、本実施形態に係る電気接続箱１００は挿入穴１２の列Ｒが３つ以上であることから、挿入穴１２の列Ｒが２つである場合に比べて多くのヒューズＦが挿着可能である。
【００３３】
また、本実施形態に係る電気接続箱１００においては、挿入穴１２の全ての列Ｒにおいて、挿入穴１２の長手方向が開放口１１の長手方向と直交する。従って、その長手方向が開放口１１の短手方向と交差するように配置された挿入穴１２の列Ｒを含む場合に比べても多くのヒューズＦが挿着可能である。
【００３４】
挿着筐体１０は、下側壁部１１１と対向する上側壁部１１２（側壁部）に切り欠き１１２Ａが形成されている。上側壁部１１２は短冊形状であり、上側壁部１１２の４つの角のうち、後側の２つの角に切り欠き１１２Ａが夫々形成されている。
【００３５】
また、上側壁部１１２の右側端部には、蓋部材４０を挿着筐体１０に取り付ける際に用いられる被係合部１１２Ｂが形成されている。詳しくは、被係合部１１２Ｂは上側壁部１１２の右側端に設けられており、上側壁部１１２と平行な扁平部である。被係合部１１２Ｂは上側壁部１１２の右側端から所定の段差をもって上側壁部１１２の長手方向に連設されている。換言すれば、挿着筐体１０は被係合部１１２Ｂにて、短手方向（上下方向）の寸法が縮小されている。斯かる寸法縮小幅は、後述する蓋部材４０の上側の壁部４１の厚みと等しい。
【００３６】
更に、挿着筐体１０には、保持体２０を挿着筐体１０に取り付けるための掛止孔１１４が形成されている。掛止孔１１４は後述する保持体２０の掛止部２０２に対応する位置に形成されている。
【００３７】
掛止孔１１４は挿着筐体１０の下側壁部１１１と隣り合う左右側の壁部１１６，１１６に夫々形成されている。掛止孔１１４は矩形孔であり、挿着筐体１０の壁部１１６を内外に貫通する貫通孔である。
【００３８】
左右側の壁部１１６，１１６には、前側辺縁に掛止突起１４が夫々設けられている。掛止突起１４は、左右側の壁部１１６，１１６における上下方向の中央部にて、壁部１１６，１１６と交差する方向に突設されている。蓋部材４０を挿着筐体１０に取り付ける際、後述する蓋部材４０の掛止爪４４が掛止突起１４に掛止する。
【００３９】
蓋部材４０は、一側が開放された直方体箱形状をなし、挿着筐体１０の開放口１１に倣う形状を有する。蓋部材４０は開放口に隣り合う４つの壁部のうち、一長辺側の壁部４１及び両短辺側の壁部４３に夫々切り欠きが形成されている。
【００４０】
蓋部材４０の一長辺側の壁部４１に形成された切り欠き４２（第２切り欠き）は細長い矩形状であり、蓋部材４０を挿着筐体１０に取り付ける際、挿着筐体１０の上側壁部１１２と係合する。詳しくは、蓋部材４０の長手方向（左右方向）における切り欠き４２の寸法は、挿着筐体１０の上側壁部１１２の寸法と等しい。従って、蓋部材４０を挿着筐体１０に取り付ける際、上側壁部１１２が切り欠き４２と係合する。この際、上側壁部１１２の左側端部及び右側端部は、切り欠き４２の長手方向の両縁と当接する。
【００４１】
また、蓋部材４０の各短辺側の壁部４３に形成された切り欠きは短冊状であり、斯かる切り欠きの長手方向の中央部には掛止爪４４が設けられている。掛止爪４４はフック形状であり、壁部４３の面に沿う方向に突設されている。蓋部材４０を挿着筐体１０に取り付ける際、掛止爪４４が挿着筐体１０の掛止突起１４に掛止する。
【００４２】
更に、蓋部材４０を挿着筐体１０に取り付ける際、蓋部材４０の壁部４１における切り欠き４２を除いた他部４１１、４１２のうち右側の他部４１２は、挿着筐体１０の被係合部１１２Ｂと係合する。即ち、蓋部材４０を挿着筐体１０に取り付ける際、上側壁部１１２の左側端部及び右側端部は、他部４１１の縁及び他部４１２の縁と当接し、且つ他部４１２の内側面が被係合部１１２Ｂの外側面と当接する。
【００４３】
上述したように、被係合部１１２Ｂは上側壁部１１２の右側端から所定の段差をもって連設されており、斯かる段差の幅は蓋部材４０の他部４１２の厚みと等しい。従って、蓋部材４０が挿着筐体１０に取り付けられた場合、他部４１１、４１２の外側面は上側壁部１１２の外側面と面一をなす。
【００４４】
一方、挿着筐体１０が蓋部材４０に内嵌されることによって蓋部材４０が挿着筐体１０に取り付けられる場合は、挿着筐体１０の上側壁部１１２上に壁部４１（他部４１２，４１１）が位置する。
【００４５】
これに対して、本実施形態に係る電気接続箱１００においては、蓋部材４０の一長辺側の壁部４１に切り欠き４２が形成されており、蓋部材４０が挿着筐体１０に取り付けられた場合、切り欠き４２が挿着筐体１０の上側壁部１１２と係合する。この際、他部４１１，４１２の外側面は上側壁部１１２の外側面と面一をなす。従って、蓋部材４０の短手方向に沿う方向における電気接続箱１００の寸法を、壁部４１（他部４１１，４１２）の厚みだけ小さくすることができる。
【００４６】
図５は、本実施形態に係る電気接続箱１００のヒューズモジュール１の後側を示す斜視図であり、図６は、本実施形態に係る電気接続箱１００のヒューズモジュール１の分解図である。図５及び図６においては、説明の便宜上、基板５０を破線にて示している。
【００４７】
挿着筐体１０の後側面１６にはヒューズ端子１３の一端部１３２が挿入されるための貫通孔１５が複数形成されている。貫通孔１５を介してヒューズ端子１３の一端部１３２が挿着筐体１０内に挿入される。
【００４８】
また、後側面１６には、貫通孔１５の付近に、貫通孔１５へのヒューズ端子１３の挿入を案内する案内部１１５が設けられている。案内部１１５は略樋形状をなしており、後側面１６から保持体２０側に突設されている。案内部１１５は後側面１６の長手方向に沿って複数並設されている。従って、電気接続箱１００の組み付け作業の際、案内部１１５を用いることによって、作業者は容易にヒューズ端子１３の一端部１３２を貫通孔１５に挿入することができる。
【００４９】
ヒューズ端子１３は導電性金属の薄板材からなる。ヒューズ端子１３は途中に屈曲部を有し、例えば略Ｌ字状をなしている。上述したように、ヒューズ端子１３の一端部１３２は後側面１６の貫通孔１５に挿入される。前記複数のヒューズ端子１３のうち一部は一端部１３２が２つに分けられている。ヒューズ端子１３の一端部１３２は挿着筐体１０に挿着されたヒューズＦと接続する。また、ヒューズ端子１３の他端部は下方、即ち基板５０に向けて屈曲しており、基板５０の貫通孔５１に挿入され、例えば半田付けによって基板５０と接続される。
【００５０】
ヒューズ端子１３は、面積が大きい主面に隣り合う側面が左方又は右方を向くように、設けられている。換言すれば、ヒューズ端子１３においては、屈曲部に対して一方の部分の厚み方向と、他方の部分の厚み方向とが互いに交差している。
【００５１】
また、後側面１６においては、左右側の壁部１１６，１１６に隣接する辺縁部であって掛止孔１１４の近傍に、保持体２０の掛止部２０２の挿入を案内する案内孔１５１が形成されている。
【００５２】
従って、電気接続箱１００の組み付け作業の際、作業者は、保持体２０の掛止部２０２を挿着筐体１０の案内孔１５１に挿入して掛止部２０２を掛止孔１１４に掛止させることによって、保持体２０を挿着筐体１０に取り付けることができる。
【００５３】
更に、挿着筐体１０においては、左右側の壁部１１６，１１６に、保持体２０を保持する保持板部１１３が設けられている。保持板部１１３は矩形板状であり、挿着筐体１０の左右側の壁部１１６，１１６の後側辺縁から、壁部１１６，１１６と交差する方向に、突設されている。保持板部１１３は、壁部１１６，１１６の後側辺縁の下端に設けられており、後述する保持体２０のネジ止め筒２０１と当接することによって、保持体２０を保持する。
【００５４】
保持体２０は所定厚みの矩形板形状をなしており、前側の第１面が挿着筐体１０の後側面１６と対向するように配置されている。保持体２０は、絶縁性のプラスチック等からなり、ヒューズ端子１３を保持する。詳しくは、保持体２０は、前記複数のヒューズ端子１３の挿着筐体１０寄りの一端部１３２のみを保持する。
【００５５】
保持体２０は保持体２０を厚み方向に貫通する挿通孔２０３を複数有する。挿通孔２０３は、前記複数のヒューズ端子１３の数だけ形成されており、各ヒューズ端子１３の一端部１３２に対応する位置に形成されている。即ち、挿通孔２０３は、保持体２０の長手方向に沿って並設されている。
【００５６】
電気接続箱１００の組み付け作業の際、各挿通孔２０３に、各ヒューズ端子１３の一端部１３２が挿通される。即ち、各ヒューズ端子１３の一端部１３２は、各挿通孔２０３を介して挿着筐体１０の貫通孔１５に挿入される。
【００５７】
一方、ヒューズ端子１３の一端部１３２においては、前記側面に抜け止め部１３１が主面に沿って突設されている。抜け止め部１３１が挿通孔２０３内に圧入されることによって、ヒューズ端子１３の一端部１３２が挿着筐体１０の貫通孔１５から抜けることが防止できる。
【００５８】
また、保持体２０においては、挿着筐体１０の後側面１６と対向する前記第１面に、保持体２０を挿着筐体１０に取り付けるための掛止部２０２が設けられている。掛止部２０２は略フック形状をなしている。掛止部２０２は、矩形状である前記第１面の両短辺の辺縁から、前記第１面と交差する方向に延設されている。
【００５９】
保持体２０が挿着筐体１０に取り付けられる場合、上述したように、保持体２０の掛止部２０２は挿着筐体１０の案内孔１５１に挿入されて掛止孔１１４と掛止する。この際、保持体２０の辺縁部のうち、上側、即ち上ケース部３１の平板部３１１寄りの辺縁部２０７（一辺縁部）に係る側面２０６は、挿着筐体１０の上側壁部１１２の外側面と面一をなし、下側の辺縁部に係る側面は下側壁部１１１の外側面と面一をなす。
【００６０】
上述したように、蓋部材４０が挿着筐体１０に取り付けられた場合、蓋部材４０の他部４１１，４１２の外側面は挿着筐体１０の上側壁部１１２の外側面と面一をなす。更に、保持体２０の辺縁部のうち、上側の辺縁部２０７に係る側面２０６が挿着筐体１０の上側壁部１１２の外側面と面一をなする。即ち、蓋部材４０の他部４１１，４１２の外側面と、挿着筐体１０の上側壁部１１２の外側面と、保持体２０の辺縁部２０７に係る側面２０６とは面一をなする（図８参照）。
【００６１】
従って、上述したように、蓋部材４０の短手方向に沿う方向における電気接続箱１００の寸法を、壁部４１（他部４１２，４１１）の厚みだけ小さくすることができる。
【００６２】
更に、保持体２０においては、前記第１面の両短辺側の側面に、保持体２０を基板５０に固定するためのネジ止め筒２０１が形成されている。ネジ止め筒２０１は上下方向に延びる四角筒形状であり、内側にはネジ孔が形成されている。ネジ止め筒２０１はその一の外側面が前記第１面と面一をなすように設けられている。
【００６３】
基板５０においてネジ止め筒２０１と対応する位置には、ネジ貫通孔５２が形成されている。従って、電気接続箱１００の組み付け作業の際、ネジ貫通孔５２を挿通してネジをネジ止め筒２０１のネジ孔と螺合させることによって、保持体２０が基板５０に固定される。この際、保持体２０は基板５０から隔てた状態にて固定される。
【００６４】
なお、保持体２０のネジ止め筒２０１の前記一の外側面には、挿着筐体１０の保持板部１１３が当接する。掛止部２０２と掛止孔１１４との掛止に加え、ネジ止め筒２０１と保持板部１１３との当接によって、保持体２０は確実に保持される。
【００６５】
図７は、本実施形態に係る電気接続箱１００の上ケース部３１を示す斜視図である。上述したように、上ケース部３１は前側端部に平板部３１１を有する。また、平板部３１１は前側の縁における略中央部に切り欠き３１２（第１切り欠き）を有している。切り欠き３１２は前側の縁に沿う方向を長手方向にする短冊状である。
【００６６】
切り欠き３１２の内側には、保持体２０及び挿着筐体１０の後側部が配置される（図１及び図２参照）。その長手方向における切り欠き３１２の寸法は、保持体２０の長手方向の寸法及び挿着筐体１０の長手方向の寸法と略同一であり、切り欠き３１２の短手方向の寸法は保持体２０の厚みより大きい。
【００６７】
即ち、切り欠き３１２の内側に保持体２０及び挿着筐体１０の後側部が配置された場合、保持体２０の辺縁部２０７（側面２０６）及び挿着筐体の上側壁部１１２が切り欠き３１２と係合する。
【００６８】
図８は、図３のＶＩＩＩ−ＶＩＩＩ線による縦断面図である。
切り欠き３１２の内側に保持体２０及び挿着筐体１０の後側部が配置された場合、即ち電気接続箱１００の組み付け後は、平板部３１１の外側面と、保持体２０の辺縁部２０７に係る側面２０６と、挿着筐体１０の上側壁部１１２の外側面とが面一をなす。
【００６９】
即ち、本実施形態に係る電気接続箱１００においては、蓋部材４０の他部４１１，４１２の外側面と、挿着筐体１０の上側壁部１１２の外側面と、保持体２０の辺縁部２０７に係る側面２０６と、平板部３１１の外側面とが面一をなする。
従って、上述したように、蓋部材４０の短手方向に沿う方向における電気接続箱１００の寸法を、壁部４１（他部４１２，４１１）の厚みだけ小さくすることができる。よって、電気接続箱１００をコンパクト化できる。
【００７０】
平板部３１１の前側の縁においては、切り欠き３１２を除く部分、即ち切り欠き３１２に対して両側に、平板部３１１と交差する方向に前側板部３１５，３１６が延設されている。前側板部３１５，３１６同士の間には、挿着筐体１０が配置される（図１及び図２参照）。即ち、挿着筐体１０の左右側の壁部１１６，１１６が夫々前側板部３１５，３１６と交差するように、挿着筐体１０が配置される。
【００７１】
また、切り欠き３１２の短辺側の両縁から、平板部３１１と交差する方向に則板部３１７が延設されている。即ち、２つの則板部３１７のうち、左側の則板部３１７は前側板部３１５と隣り合い、右側の則板部３１７は前側板部３１６と隣り合う。
【００７２】
更に、切り欠き３１２の長辺側の縁における両端部から、平板部３１１と交差する方向に保持片３１３が延設されている。即ち、保持片３１３は則板部３１７と交差しており、各保持片３１３は各則板部３１７と隣り合うように設けられている。
【００７３】
則板部３１７及び保持片３１３は何れも略短冊状をなし、長手方向、即ち上下方向の寸法が前側板部３１５，３１６より小さい。また、則板部３１７の短手方向の寸法は、保持片３１３の短手方向の寸法より大きい。
【００７４】
切り欠き３１２の内側に保持体２０が配置された場合、各則板部３１７は保持体２０（前記第１面）の短辺側の各側面と当接する。即ち、保持体２０は両則板部３１７によって挟持される。この際、各保持片３１３は、保持体２０の前記第１面と反対側の第２面と当接する。即ち、保持片３１３，３１３は、前記第２面側から保持体２０を保持する。
【００７５】
既に説明したように、保持体２０は、前記第１面側から保持板部１１３，１１３によって保持されており、上述の如く前記第２面側からも保持片３１３，３１３によって保持されている。換言すれば、保持体２０は保持片３１３，３１３及び保持板部１１３，１１３によって挟持されている。
【００７６】
このような構成を有することから、本実施形態に係る電気接続箱１００においては、保持体２０が確実に保持される。従って、保持体２０が前記複数のヒューズ端子１３の一端部１３２のみを保持しながらも、堅固にヒューズ端子１３を保持することができる。
【００７７】
なお、上ケース部３１においては、則板部３１７と前側板部３１５とによる縁、並びに、則板部３１７と前側板部３１６とによる縁を矩形状に切り欠いた位置決め部３１４が夫々設けられている。電気接続箱１００の組み付け作業の際、上側壁部１１２の切り欠き１１２Ａと、位置決め部３１４とが係合することによって、挿着筐体１０の位置が決められる。従って、挿着筐体１０が正確に配置される。
【００７８】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００７９】
１  ヒューズモジュール
１０  挿着筐体
１１  開放口
１２  挿入穴
１３  ヒューズ端子
１５  貫通孔
１６  後側面
２０  保持体
３０  ケース部材
３１  上ケース部
４０  蓋部材
４１  壁部
４２  切り欠き
５０  基板
５１  貫通孔
５２  ネジ貫通孔
１００  電気接続箱
１１３  保持板部
１１４  掛止孔
１３２  一端部
２０１  ネジ止め筒
２０２  掛止部
２０３  挿通孔
３１１  平板部
３１２  切り欠き
３１３  保持片
４１１，４１２  他部
Ｆ  ヒューズ
Ｒ  挿入穴の列
【図１】
2020092577.tif 000003
【図２】
2020092577.tif 000004
【図３】
2020092577.tif 000005
【図４】
2020092577.tif 000006
【図５】
2020092577.tif 000007
【図６】
2020092577.tif 000008
【図７】
2020092577.tif 000009
【図８】
2020092577.tif 000010